(57)【要約】【課題】本発明は、音声出力を行う機器を切り換える際に音量を変化させることなく切り換えを行うことができ、音量の再設定の必要がない音声出力システムを提供することを課題とする。【解決手段】ＴＶ受信機１０は、切り換え指示が操作部２１から入力されると、スピーカ２０からの音声出力を停止させると共に、特性補正テーブル２２を参照することで、電子ボリューム１７に設定されている音量ボリューム値に対応する基準レベル値を特定し、特定した基準レベル値と出力指示とをサラウンドオーディオ装置３０に出力し、サラウンドオーディオ装置３０は、ＴＶ受信機１０から基準レベル値と出力指示とが入力されると、特性補正テーブル３７を参照することで、基準レベル値に対応する音量ボリューム値を特定し、特定した音量ボリューム値を電子ボリューム３２に設定して音声出力を開始させる。【選択図】        図１
2009027593.tif 000002
【特許請求の範囲】
【請求項１】
第１のスピーカを搭載している第１のスピーカ搭載機と第２のスピーカを搭載している第２のスピーカ搭載機とが接続されてなる音声出力システムであって、
前記第１のスピーカ搭載機は、設定された第１の音量ボリューム値に基づく音量レベルで前記第１のスピーカから音声出力させる第１のボリューム手段と、
該第１のボリューム手段に設定される前記第１の音量ボリューム値と当該第１の音量ボリューム値に対応する基準レベル値とが設定されている第１の特性補正テーブルと、
音声出力する機器の切り換え指示の入力を受け付ける操作手段と、
前記第１のスピーカ搭載機から前記第２のスピーカ搭載機への音声出力の切り換え指示が前記操作手段から入力されると、前記第１のスピーカからの音声出力を停止させると共に、前記第１の特性補正テーブルを参照することで、前記第１のボリューム手段に設定されている前記第１の音量ボリューム値に対応する前記基準レベル値を特定し、特定した前記基準レベル値と音声出力を指示する出力指示とを前記第２のスピーカ搭載機に出力する第１の音量制御手段とを具備し、
前記第２のスピーカ搭載機は、設定された第２の音量ボリューム値に基づく音量レベルで前記第２のスピーカから音声出力させる第２のボリューム手段と、
該第２のボリューム手段に設定される前記第２の音量ボリューム値と当該第２の音量ボリューム値に対応する前記基準レベル値とが設定されている第２の特性補正テーブルと、
前記第１のスピーカ搭載機から前記基準レベル値と前記出力指示が入力されると、前記第２の特性補正テーブルを参照することで、前記基準レベル値に対応する前記第２の音量ボリューム値を特定し、特定した前記第２の音量ボリューム値を前記第２のボリューム手段に設定して音声出力を開始させる第２の音量制御手段を具備することを特徴とする音声出力システム。
【請求項２】
前記第１のスピーカ搭載機の前記第１の音量制御手段は、前記第２のスピーカ搭載機から前記第１のスピーカ搭載機への音声出力の切り換え指示が前記操作手段から入力されると、音声出力の停止を指示する出力停止指示を前記第２のスピーカ搭載機に出力すると共に、前記第２のスピーカ搭載機から前記基準レベル値が入力されると、前記第１の特性補正テーブルを参照することで、前記基準レベル値に対応する前記第１の音量ボリューム値を特定し、特定した前記第１の音量ボリューム値を前記第１のボリューム手段に設定して音声出力を開始させ、
前記第２のスピーカ搭載機の前記第２の音量制御手段は、前記第１のスピーカ搭載機から前記出力停止指示が入力されると、前記第２のスピーカからの音声出力を停止させると共に、前記第２の特性補正テーブルを参照することで、前記第２のボリューム手段に設定されている前記第２の音量ボリューム値に対応する前記基準レベル値を特定し、特定した前記基準レベル値を前記第１のスピーカ搭載機に出力することを特徴とする請求項１記載の音声出力システム。
【発明の詳細な説明】
【技術分野】
【０００１】
本発明は、スピーカをそれぞれ搭載している複数のスピーカ搭載機器からなる音声出力システムに関し、特に音声出力を行う機器を切り換える際に音量を変化させることなく切り換えを行う音声出力システムに関する。
【背景技術】
【０００２】
近年、ＴＶ受信機やＤＶＤ（Digital Versatile Disc）プレーヤ機等に、臨場感のある再生音場の形成が可能なサラウンドオーディオ装置を接続したホームシアターシステムが用いられるようになってきている。（例えば、特許文献１参照）。
【０００３】
しかしながら、従来技術では、各々機器における音量ボリューム設定は、互いの関連がなく、独立して設定するようになっており、音声出力する機器を切り替える毎に、音量の再設定が必要となって操作が煩わしく、特に、深夜の視聴時等に音量を絞って使用していたにも拘わらず、音声出力する機器を切り換えた途端、誤って大音量が出てしまうという問題点があった。
【特許文献１】特開２００５−２１７５５９号公報
【発明の開示】
【発明が解決しようとする課題】
【０００４】
本発明は斯かる問題点に鑑みてなされたものであり、その目的とするところは、音声出力を行う機器を切り換える際に音量を変化させることなく切り換えを行うことができ、音量の再設定の必要がなく、深夜の視聴時等に音量を絞って使用している場合に、音声出力する機器を切り換えても、誤って大音量が出てしまうことがない音声出力システムを提供する点にある。
【課題を解決するための手段】
【０００５】
本発明は上記課題を解決すべく、以下に掲げる構成とした。
本発明の音声出力システムは、第１のスピーカを搭載している第１のスピーカ搭載機と第２のスピーカを搭載している第２のスピーカ搭載機とが接続されてなる音声出力システムであって、前記第１のスピーカ搭載機は、設定された第１の音量ボリューム値に基づく音量レベルで前記第１のスピーカから音声出力させる第１のボリューム手段と、該第１のボリューム手段に設定される前記第１の音量ボリューム値と当該第１の音量ボリューム値に対応する基準レベル値とが設定されている第１の特性補正テーブルと、音声出力する機器の切り換え指示の入力を受け付ける操作手段と、前記第１のスピーカ搭載機から前記第２のスピーカ搭載機への音声出力の切り換え指示が前記操作手段から入力されると、前記第１のスピーカからの音声出力を停止させると共に、前記第１の特性補正テーブルを参照することで、前記第１のボリューム手段に設定されている前記第１の音量ボリューム値に対応する前記基準レベル値を特定し、特定した前記基準レベル値と音声出力を指示する出力指示とを前記第２のスピーカ搭載機に出力する第１の音量制御手段とを具備し、前記第２のスピーカ搭載機は、設定された第２の音量ボリューム値に基づく音量レベルで前記第２のスピーカから音声出力させる第２のボリューム手段と、該第２のボリューム手段に設定される前記第２の音量ボリューム値と当該第２の音量ボリューム値に対応する前記基準レベル値とが設定されている第２の特性補正テーブルと、前記第１のスピーカ搭載機から前記基準レベル値と前記出力指示が入力されると、前記第２の特性補正テーブルを参照することで、前記基準レベル値に対応する前記第２の音量ボリューム値を特定し、特定した前記第２の音量ボリューム値を前記第２のボリューム手段に設定して音声出力を開始させる第２の音量制御手段を具備することを特徴とする。
【０００６】
さらに、本発明の音声出力システムは、前記第１のスピーカ搭載機の前記第１の音量制御手段は、前記第２のスピーカ搭載機から前記第１のスピーカ搭載機への音声出力の切り換え指示が前記操作手段から入力されると、音声出力の停止を指示する出力停止指示を前記第２のスピーカ搭載機に出力すると共に、前記第２のスピーカ搭載機から前記基準レベル値が入力されると、前記第１の特性補正テーブルを参照することで、前記基準レベル値に対応する前記第１の音量ボリューム値を特定し、特定した前記第１の音量ボリューム値を前記第１のボリューム手段に設定して音声出力を開始させ、前記第２のスピーカ搭載機の前記第２の音量制御手段は、前記第１のスピーカ搭載機から前記出力停止指示が入力されると、前記第２のスピーカからの音声出力を停止させると共に、前記第２の特性補正テーブルを参照することで、前記第２のボリューム手段に設定されている前記第２の音量ボリューム値に対応する前記基準レベル値を特定し、特定した前記基準レベル値を前記第１のスピーカ搭載機に出力することを特徴とする。
【発明の効果】
【０００７】
本発明の音声出力システムは、第１のスピーカ搭載機に、設定された第１の音量ボリューム値に基づく音量レベルで第１のスピーカから音声出力させる第１のボリューム手段と、第１のボリューム手段に設定される第１の音量ボリューム値と当該第１の音量ボリューム値に対応する基準レベル値とが設定されている第１の特性補正テーブルと、音声出力する機器の切り換え指示の入力を受け付ける操作手段と、第１のスピーカ搭載機から第２のスピーカ搭載機への音声出力の切り換え指示が操作手段から入力されると、第１のスピーカからの音声出力を停止させると共に、第１の特性補正テーブルを参照することで、第１のボリューム手段に設定されている第１の音量ボリューム値に対応する基準レベル値を特定し、特定した基準レベル値と音声出力を指示する出力指示とを第２のスピーカ搭載機に出力する第１の音量制御手段とを設け、第２のスピーカ搭載機に、設定された第２の音量ボリューム値に基づく音量レベルで第２のスピーカから音声出力させる第２のボリューム手段と、第２のボリューム手段に設定される第２の音量ボリューム値と当該第２の音量ボリューム値に対応する基準レベル値とが設定されている第２の特性補正テーブルと、第１のスピーカ搭載機から基準レベル値と出力指示が入力されると、第２の特性補正テーブルを参照することで、基準レベル値に対応する第２の音量ボリューム値を特定し、特定した第２の音量ボリューム値を第２のボリューム手段に設定して音声出力を開始させる第２の音量制御手段とを設けるように構成することにより、第１のスピーカ搭載機を操作し、第１のスピーカ搭載機から第２のスピーカ搭載機に音声出力を切り換えるに際し、第１のスピーカ搭載機において設定されていた第１の音量ボリューム値が、第１のスピーカ搭載機における第１のスピーカと、第２のスピーカ搭載機における第２のスピーカとの音量特性に応じて補正されて、第２のスピーカ搭載機の音声出力に反映されることになるため、音声出力を行う機器を切り換える際に音量を変化させることなく切り換えを行うことができ、音量の再設定の必要がなく、深夜の視聴時等に音量を絞って使用している場合に、音声出力する機器を切り換えても、誤って大音量が出てしまうことがないという効果を奏する。
【０００８】
さらに、本発明の音声出力システムにおいては、第１のスピーカ搭載機の第１の音量制御手段は、第２のスピーカ搭載機から第１のスピーカ搭載機への音声出力の切り換え指示が操作手段から入力されると、音声出力の停止を指示する出力停止指示を第２のスピーカ搭載機に出力すると共に、第２のスピーカ搭載機から基準レベル値が入力されると、第１の特性補正テーブルを参照することで、基準レベル値に対応する第１の音量ボリューム値を特定し、特定した第１の音量ボリューム値を第１のボリューム手段に設定して音声出力を開始させ、第２のスピーカ搭載機の第２の音量制御手段は、第１のスピーカ搭載機から出力停止指示が入力されると、第２のスピーカからの音声出力を停止させると共に、第２の特性補正テーブルを参照することで、第２のボリューム手段に設定されている第２の音量ボリューム値に対応する基準レベル値を特定し、特定した基準レベル値を第１のスピーカ搭載機に出力するように構成することにより、第１のスピーカ搭載機を操作し、第２のスピーカ搭載機から第１のスピーカ搭載機に音声出力を切り換えるに際し、第２のスピーカ搭載機において設定されていた第２の音量ボリューム値が、第２のスピーカ搭載機における第２のスピーカと、第１のスピーカ搭載機における第１のスピーカとの音量特性に応じて補正されて、第１のスピーカ搭載機の音声出力に反映されるという効果を奏する。
【発明を実施するための最良の形態】
【０００９】
以下、本発明の実施の形態を図面に基づいて詳細に説明する。
【００１０】
図１は、本発明に係る音声出力システムの実施の形態の構成を示すブロック図であり、図２は、図１に示す特性補正テーブル例を示す図であり、（ａ）は、ＴＶ受信機の特性補正テーブル例を、（ｂ）は、サラウンドオーディオ装置の特性補正テーブル例をそれぞれ示している。
【００１１】
本実施の形態の音声出力システムは、図１を参照すると、ＴＶ受信機１０と、ＴＶ受信機１０にＨＤＭＩ（High Definition Multimedia Interface）等のインターフェイス５０を介して接続されたサラウンドオーディオ装置３０とからなり、音声出力する機器をＴＶ受信機１０とサラウンドオーディオ装置３０とで切り換えることができるように構成されている。
【００１２】
ＴＶ受信機１０は、アンテナ１１と、チューナ部１２と、多重化復元部１３と、映像復号部１４と、音声復号部１５と、表示部１６と、電子ボリューム１７と、ミュート回路１８と、アンプ１９と、スピーカ２０と、操作部２１と、特性補正テーブル２２と、音量制御部２３と、音声出力端子２４と、音声情報入出力端子２５とを備えている。
【００１３】
チューナ部１２は、アンテナ１１によって受信された放送信号を所望の周波数で選局し、復調処理を行う。なお、アンテナ１１によって受信される放送信号は、アナログ放送、ＢＳアナログ放送、ＢＳデジタル放送等であり、チューナ部１２によって復調される信号は、コンテンツの映像信号と音声信号および当該コンテンツに関する付加情報が時分割複合化された多重化信号として多重化復元部１３に出力される。また、コンテンツとは、放送局からの放送信号によって供給される番組に限らず、インターネット等のネットワークを介して得られる番組、ＤＶＤ（Digital Versatile Disc）等の記録媒体から得られる番組を含むものとし、この場合には、ネットワークおよび記録媒体の再生装置からコンテンツの映像信号と音声信号および当該コンテンツに関する付加情報が時分割複合化された多重化信号が多重化復元部１３に出力される。
【００１４】
多重化復元部１３は、チューナ部１２（もしくはネットワーク、記録媒体の再生装置）から入力された多重化信号を映像信号と、音声信号と、付加情報とに分離し、分離した映像信号は、映像復号部１４に、分離した音声信号は、音声復号部１５にそれぞれ出力する。
【００１５】
映像復号部１４は、多重化復元部１３から入力された映像信号を復号化し、復号化された映像信号は、表示部１６に表示される。表示部１６としては、液晶ディスプレイ、プラズマディスプレイ、ＣＲＴ等の表示手段が用いられる。
【００１６】
音声復号部１５は、多重化復元部１３から入力された音声信号を復号化し、復号化された音声信号は、電子ボリューム１７によって音量レベルが調整された後、アンプ１９で増幅され、スピーカ２０から音声出力されると共に、音声出力端子２４から出力される。なお、図１には、スピーカ２０が１台のみ示されているが、実際には、出力するチャンネル数分のスピーカが設けられている。
【００１７】
ミュート回路１８は、音声信号を必要に応じて遮断する回路であり、ミュート回路１８がＯＮされると、スピーカ２０からの音声出力が停止される。
【００１８】
操作部２１は、ＴＶ受信機１０における各種操作の実行を指示する入力手段であり、電源のＯＮ／ＯＦＦ操作、チャンネルの選択指示、音量ボリューム値の調整指示、音声出力する機器の切り換え指示等の入力が行われる。なお、図示しないリモコンからの操作信号を赤外線等で受信するリモコン受光部を設け、リモコンを操作部２１として用いるようにしても良い。
【００１９】
特性補正テーブル２２は、スピーカ２０の音量特性と、予め定められている音量の基準レベル値との対応関係を示しており、図２（ａ）に示すように、スピーカ２０から出力される音量レベルを決定する音量ボリューム値と、当該音量ボリューム値に対応する基準レベル値とが設定されている。
【００２０】
音量制御部２３は、操作部２１から音量ボリューム値の調整指示が入力されると、調整された音量ボリューム値に基づいて電子ボリューム１７の音量レベルを設定する。また、音量制御部２３は、操作部２１から切り換え指示として、音声出力する機器をＴＶ受信機１０からサラウンドオーディオ装置３０に切り換える指示が入力されると、ミュート回路１８をＯＮさせてスピーカ２０からの音声出力を停止させると共に、特性補正テーブル２２を参照することで、電子ボリューム１７に設定されている音量レベル、すなわち音量ボリューム値に対応する基準レベル値を特定し、特定した基準レベル値と音声出力を指示する出力指示とを音声情報入出力端子２５からサラウンドオーディオ装置３０に出力する。さらに、音量制御部２３は、操作部２１から切り換え指示として、音声出力する機器をサラウンドオーディオ装置３０からＴＶ受信機１０に切り換える指示が入力されると、音声出力の停止を指示する出力停止指示を音声情報入出力端子２５からサラウンドオーディオ装置３０に出力することで、基準レベル値を要求し、サラウンドオーディオ装置３０からの基準レベル値が音声情報入出力端子２５から入力されると、特性補正テーブル２２を参照することで、基準レベル値に対応する音量ボリューム値を特定し、特定した音量ボリューム値に基づいて電子ボリューム１７の音量レベルを設定すると共に、ミュート回路１８をＯＦＦさせてスピーカ２０からの音声出力を開始させる。
【００２１】
サラウンドオーディオ装置３０は、サラウンド処理部３１と、電子ボリューム３２と、ミュート回路３３と、アンプ３４と、スピーカ３５と、操作部３６と、特性補正テーブル３７と、音量制御部３８と、音声入力端子３９と、音声情報入出力端子４０とを備えている。
【００２２】
サラウンド処理部３１は、ＴＶ受信機１０から音声入力端子３９を介して入力された音声信号のチャンネル数を変更する機能を有し、サラウンド処理として、例えば、５．１ｃｈの音声信号を３．１ｃｈ又は２．１ｃｈに変更するダウンミックス処理、５．１ｃｈの音声信号を３．１ｃｈ又は２ｃｈに変更するバーチャルサラウンド処理、２ｃｈの音声信号を５．１ｃｈに変更するマトリクスデコード処理、１ｃｈの音声信号を２ｃｈに変更するステレオ変換処理が行われる。サラウンド処理部３１によってサラウンド処理された音声信号は、電子ボリューム３２によって音量レベルが調整された後、アンプ３４で増幅され、スピーカ３５から音声出力される。なお、図１には、スピーカ３５が１台のみ示されているが、実際には、出力するチャンネル数分のスピーカが設けられている。
【００２３】
ミュート回路３３は、音声信号を必要に応じて遮断する回路であり、ミュート回路３３がＯＮされると、スピーカ３５からの音声出力が停止される。
【００２４】
操作部３６は、サラウンドオーディオ装置３０における各種操作の実行を指示する入力手段であり、電源のＯＮ／ＯＦＦ操作、音量ボリューム値の調整指示等の入力が行われる。なお、図示しないリモコンからの操作信号を赤外線等で受信するリモコン受光部を設け、リモコンを操作部３６として用いるようにしても良い。
【００２５】
特性補正テーブル３７は、スピーカ３５の音量特性と、予め定められている音量の基準レベル値との対応関係を示しており、図２（ｂ）に示すように、スピーカ３５から出力される音量レベルを決定する音量ボリューム値と、当該音量ボリューム値に対応する基準レベル値とが設定されている。
【００２６】
音量制御部３８は、操作部３６から音量ボリューム値の調整指示が入力されると、調整された音量ボリューム値に基づいて電子ボリューム３２の音量レベルを設定する。また、音量制御部３８は、ＴＶ受信機１０から音声情報入出力端子４０を介して基準レベル値と出力指示とが入力されると、特性補正テーブル３７を参照することで、基準レベル値に対応する音量ボリューム値を特定し、特定した音量ボリューム値に基づいて電子ボリューム３２の音量レベルを設定すると共に、ミュート回路３３をＯＦＦさせてスピーカ３５からの音声出力を開始させる。さらに、音量制御部２３は、ＴＶ受信機１０から音声情報入出力端子４０を介して出力停止指示が入力されると、ミュート回路１８をＯＮさせてスピーカ３５からの音声出力を停止させると共に、特性補正テーブル３７を参照することで、電子ボリューム３２に設定されている音量レベル、すなわち音量ボリューム値に対応する基準レベル値を特定し、特定した基準レベル値を音声情報入出力端子４０からＴＶ受信機１０に出力する。
【００２７】
次に、本実施の形態の動作について図３および図４を参照して詳細に説明する。
図３は、本発明に係る音声出力システムの実施の形態におけるＴＶ受信機からサラウンドオーディオ装置への音声出力切り換え動作を説明するシーケンス図であり、図４は、本発明に係る音声出力システムの実施の形態におけるサラウンドオーディオ装置からＴＶ受信機への音声出力切り換え動作を説明するシーケンス図である。
【００２８】
まず、ＴＶ受信機１０からサラウンドオーディオ装置３０への音声出力切り換え動作について図３を参照して詳細に説明する。
ＴＶ受信機１０のスピーカ２０から音声出力され、サラウンドオーディオ装置３０のミュート回路３３がＯＮされてスピーカ３５からの音声出力が停止されている状態で、操作部２１から切り換え指示として、音声出力する機器をＴＶ受信機１０からサラウンドオーディオ装置３０に切り換える指示が入力されると（ステップＡ１）、音量制御部２３は、ミュート回路１８をＯＮさせてスピーカ２０からの音声出力を停止させると共に（ステップＡ２）、特性補正テーブル２２を参照することで、電子ボリューム１７に設定されている音量レベル、すなわち音量ボリューム値に対応する基準レベル値を特定し（ステップＡ３）、特定した基準レベル値と音声出力を指示する出力指示とを音声情報入出力端子２５からサラウンドオーディオ装置３０に出力する（ステップＡ４）。なお。ステップＡ３の基準レベル値の特定に際し、図２（ａ）に示すように、１つの音量ボリューム値に複数の基準レベル値が対応している場合、すなわち音量ボリューム値よりも基準レベル値の段階数の方が多い場合には、予め設定されているルールに従って、例えば最も大きい基準レベル値等が特定される。
【００２９】
サラウンドオーディオ装置３０の音量制御部３８は、ＴＶ受信機１０から音声情報入出力端子４０を介して基準レベル値と出力指示とが入力されると（ステップＡ４）、特性補正テーブル３７を参照することで、基準レベル値に対応する音量ボリューム値を特定し（ステップＡ５）、特定した音量ボリューム値に基づいて電子ボリューム３２の音量レベルを設定すると共に（ステップＡ６）、ミュート回路３３をＯＦＦさせてスピーカ３５からの音声出力を開始させる（ステップＡ７）。これにより、サラウンドオーディオ装置３０において設定されていた音量ボリューム値が、サラウンドオーディオ装置３０のスピーカ３５とＴＶ受信機１０のスピーカ２０との音量特性に応じて補正されて、ＴＶ受信機１０の音声出力に反映されることになる。
【００３０】
次に、サラウンドオーディオ装置３０からＴＶ受信機１０への音声出力切り換え動作について図４を参照して詳細に説明する。
ＴＶ受信機１０のミュート回路１８がＯＮされてスピーカ２０からの音声出力が停止され、サラウンドオーディオ装置３０のスピーカ３５から音声出力されている状態で、操作部２１から切り換え指示として、音声出力する機器をサラウンドオーディオ装置３０からＴＶ受信機１０に切り換える指示が入力されると（ステップＢ１）、音量制御部２３は、音声出力の停止を指示する出力停止指示を音声情報入出力端子２５からサラウンドオーディオ装置３０に出力する（ステップＢ２）。
【００３１】
サラウンドオーディオ装置３０の音量制御部３８は、ＴＶ受信機１０から音声情報入出力端子４０を介して出力停止指示が入力されると（ステップＢ３）、ミュート回路３３をＯＮさせてスピーカ３５からの音声出力を停止させると共に（ステップＢ４）、特性補正テーブル３７を参照することで、電子ボリューム３２に設定されている音量レベル、すなわち音量ボリューム値に対応する基準レベル値を特定し（ステップＢ５）、特定した基準レベル値を音声情報入出力端子４０からＴＶ受信機１０に出力する（ステップＢ６）。なお。ステップＢ５の基準レベル値の特定に際し、図２（ｂ）に示すように、１つの音量ボリューム値に複数の基準レベル値が対応している場合、すなわち音量ボリューム値よりも基準レベル値の段階数の方が多い場合には、予め設定されているルールに従って、例えば最も大きい基準レベル値等が特定される。
【００３２】
ＴＶ受信機１０の音量制御部２３は、サラウンドオーディオ装置３０からの基準レベル値が音声情報入出力端子２５から入力されると（ステップＢ７）、特性補正テーブル２２を参照することで、基準レベル値に対応する音量ボリューム値を特定し（ステップＢ８）、特定した音量ボリューム値に基づいて電子ボリューム１７の音量レベルを設定すると共に（ステップＢ９）、ミュート回路１８をＯＦＦさせてスピーカ２０からの音声出力を開始させる（ステップＢ１０）。これにより、ＴＶ受信機１０において設定されていた音量ボリューム値が、ＴＶ受信機１０のスピーカ２０とサラウンドオーディオ装置３０のスピーカ３５との音量特性に応じて補正されて、サラウンドオーディオ装置３０の音声出力に反映されることになる。
【００３３】
なお、本実施の形態では、ＴＶ受信機１０の操作部２１によって切り換え指示の入力を受け付けるように構成したが、サラウンドオーディオ装置３０の操作部３６によって切り換え指示の入力を受け付けるようにしても良く、この場合の動作は、図３および図４に示すシーケンス図において、ＴＶ受信機１０とサラウンドオーディオ装置３０とを入れ換えることで説明することができる。
【００３４】
以上説明したように、本実施の形態によれば、ＴＶ受信機１０に、設定された音量ボリューム値に基づく音量レベルでスピーカ２０から音声出力させる電子ボリューム１７と、電子ボリューム１７に設定される音量ボリューム値と当該音量ボリューム値に対応する基準レベル値とが設定されている特性補正テーブル２２と、音声出力する機器の切り換え指示の入力を受け付ける操作部２１と、ＴＶ受信機１０からサラウンドオーディオ装置３０への音声出力の切り換え指示が操作部２１から入力されると、スピーカ２０からの音声出力を停止させると共に、特性補正テーブル２２を参照することで、電子ボリューム１７に設定されている音量ボリューム値に対応する基準レベル値を特定し、特定した基準レベル値と音声出力を指示する出力指示とをサラウンドオーディオ装置３０に出力する音量制御部２３とを設け、サラウンドオーディオ装置３０に、設定された音量ボリューム値に基づく音量レベルでスピーカ３５から音声出力させる電子ボリューム３２と、電子ボリューム３２に設定される音量ボリューム値と当該音量ボリューム値に対応する基準レベル値とが設定されている特性補正テーブル３７と、ＴＶ受信機１０から基準レベル値と出力指示が入力されると、特性補正テーブル３７を参照することで、基準レベル値に対応する音量ボリューム値を特定し、特定した音量ボリューム値を電子ボリューム３２に設定して音声出力を開始させる音量制御部３８とを設けるように構成することにより、ＴＶ受信機１０を操作し、ＴＶ受信機１０からサラウンドオーディオ装置３０に音声出力を切り換えるに際し、ＴＶ受信機１０において設定されていた音量ボリューム値が、ＴＶ受信機１０におけるスピーカ２０と、サラウンドオーディオ装置３０におけるスピーカ３５との音量特性に応じて補正されて、サラウンドオーディオ装置３０の音声出力に反映されることになるため、音声出力を行う機器を切り換える際に音量を変化させることなく切り換えを行うことができ、音量の再設定の必要がなく、深夜の視聴時等に音量を絞って使用している場合に、音声出力する機器を切り換えても、誤って大音量が出てしまうことがないという効果を奏する。
【００３５】
さらに、本発明の音声出力システムにおいては、ＴＶ受信機１０の音量制御部２３は、サラウンドオーディオ装置３０からＴＶ受信機１０への音声出力の切り換え指示が操作部２１から入力されると、音声出力の停止を指示する出力停止指示をサラウンドオーディオ装置３０に出力すると共に、サラウンドオーディオ装置３０から基準レベル値が入力されると、特性補正テーブル２２を参照することで、基準レベル値に対応する音量ボリューム値を特定し、特定した音量ボリューム値を電子ボリューム１７に設定して音声出力を開始させ、サラウンドオーディオ装置３０の音量制御部３８は、スピーカ３５からの音声出力を停止させると共に、特性補正テーブル３７を参照することで、電子ボリューム３２に設定されている音量ボリューム値に対応する基準レベル値を特定し、特定した基準レベル値をＴＶ受信機１０に出力するように構成することにより、ＴＶ受信機１０を操作し、サラウンドオーディオ装置３０からＴＶ受信機１０に音声出力を切り換えるに際し、サラウンドオーディオ装置３０において設定されていた音量ボリューム値が、サラウンドオーディオ装置３０におけるスピーカ３５と、ＴＶ受信機１０におけるスピーカ２０との音量特性に応じて補正されて、ＴＶ受信機１０の音声出力に反映されるという効果を奏する。
【００３６】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３７】
【図１】本発明に係る音声出力システムの実施の形態の構成を示すブロック図である。
【図２】図１に示す特性補正テーブル例を示す図であり、（ａ）は、ＴＶ受信機の特性補正テーブル例を、（ｂ）は、サラウンドオーディオ装置の特性補正テーブル例をそれぞれ示している。
【図３】本発明に係る音声出力システムの実施の形態におけるＴＶ受信機からサラウンドオーディオ装置への音声出力切り換え動作を説明するシーケンス図である。
【図４】本発明に係る音声出力システムの実施の形態におけるサラウンドオーディオ装置からＴＶ受信機への音声出力切り換え動作を説明するシーケンス図である。
【符号の説明】
【００３８】
１０  ＴＶ受信機
１１  アンテナ
１２  チューナ部
１３  多重化復元部
１４  映像復号部
１５  音声復号部
１６  表示部
１７  電子ボリューム
１８  ミュート回路
１９  アンプ
２０  スピーカ
２１  操作部
２２  特性補正テーブル
２３  音量制御部
２４  音声出力端子
２５  音声情報入出力端子
３０  サラウンドオーディオ装置
３１  サラウンド処理部
３２  電子ボリューム
３３  ミュート回路
３４  アンプ
３５  スピーカ
３６  操作部
３７  特性補正テーブル
３８  音量制御部
３９  音声入力端子
４０  音声情報入出力端子
５０  インターフェイス
【図１】
2009027593.tif 000003
【図２】
2009027593.tif 000004
【図３】
2009027593.tif 000005
【図４】
2009027593.tif 000006